(57)【要約】【課題】シールド掘進において、攪拌効率を向上させる。【解決手段】本体１０前面で地山を掘削するカッター１１を備えるカッタースポーク１２の背面側に設けられたチャンバー１３内に掘削土を取り込み、その掘削土をチャンバー１３内に設けられた攪拌翼１６・１７により攪拌するシールド掘削機１であって、カッタースポーク１２の背面、攪拌翼１６・１７、またはカッタースポーク１２と本体１０内でチャンバー１３の背面に位置する隔壁１４との間に掛け渡して設けられた中間支持部材１５の少なくともいずれかに、チャンバー１３内の掘削土に添加材を注入する注入孔２１・２２・２３を設ける。そして、チャンバー１３内の掘削土に、カッタースポーク１２背面、攪拌翼１６・１７または／及び中間支持部材１５に設けられた各注入孔２１・２２・２３から添加材を注入する。【選択図】図２
2014163129.tif 000002
【特許請求の範囲】
【請求項１】
本体前面で地山を掘削するカッターを備えるカッタースポークの背面側に設けられたチャンバー内に掘削土を取り込み、その掘削土を前記チャンバー内に設けられた攪拌翼により攪拌するシールド掘削機であって、
前記カッタースポークの背面、前記攪拌翼、または前記カッタースポークと前記本体内で前記チャンバーの背面に位置する隔壁との間に掛け渡して設けられた中間支持部材の少なくともいずれかに、前記チャンバー内の掘削土に添加材を注入する注入孔を設けたことを特徴とするシールド掘削機。
【請求項２】
請求項１に記載のシールド掘削機を用いるシールド工法であって、
前記チャンバー内の掘削土に、前記カッタースポーク背面、前記攪拌翼または／及び前記中間支持部材に設けられた各注入孔から添加材を注入することを特徴とするシールド工法。
【請求項３】
前記添加材として汚染土壌を浄化する不溶化材を注入することを特徴とする請求項２に記載のシールド工法。
【請求項４】
前記チャンバー内の前記添加材を含む掘削土を攪拌混合してから、その攪拌混合済みの掘削土を前記チャンバー外に搬出することを特徴とする請求項２または３に記載のシールド工法。
【発明の詳細な説明】
【技術分野】
【０００１】
本発明は、シールド掘削機と、それを用いるシールド工法に関する。
【背景技術】
【０００２】
本出願人等は、揮発性有機化合物を含む汚染土壌の地山内をシールド掘進する際の掘削土の浄化処理に、シールド掘削機自体を有効利用することで、浄化処理の効率化を図り、しかも、良好な坑内環境を維持することができる技術を提案した（特許文献１参照）。
これは、揮発性有機化合物を含む汚染土壌の地山のシールド切羽において、超微細鉄粉溶液と微粉末活性炭溶液を使用する浄化剤を添加して、シールド掘削機のチャンバー内に取り込まれる浄化剤を含む掘削土を、攪拌手段で攪拌混合してから、チャンバー内の攪拌済み掘削土をチャンバー外に搬送する技術である。
ここで、泥土圧シールド工法における作泥材や気泡材などのシールド添加材は、カッター前面あるいはチャンバー隔壁前面の注入孔から添加する方法が一般的である。
【０００３】
ところで、砒素などの重金属を含む汚染土壌においては、掘削土に不溶化材を添加して浄化する必要がある。
【０００４】
なお、シールド掘削機において、固定攪拌棒に、チャンバー内に作泥材を注入するための注入孔を設けたものがある（特許文献２参照）。
【先行技術文献】
【特許文献】
【０００５】
【特許文献１】特開２０１２−１２０９８７号公報
【特許文献２】特開２０１０−７７７１５号公報
【発明の概要】
【発明が解決しようとする課題】
【０００６】
しかし、砒素などの重金属を含む汚染土壌を浄化する不溶化材を、作泥材や気泡材などのシールド添加と同様に、カッター前面あるいはチャンバー隔壁前面の注入孔から添加すると、以下の問題がある。
すなわち、カッター前面の注入孔では、掘削土が塑性流動性を有していないため、不溶化材が均一に混ざりにくく、効率が悪い。
また、チャンバー隔壁前面の注入孔では、固定位置からの注入であり、排土されるまでの時間が短く、十分な攪拌混合ができないため、不溶化材が均一に攪拌混合されにくく、効率が悪い。
【０００７】
本発明の課題は、シールド掘進において、攪拌効率を向上させることである。
【課題を解決するための手段】
【０００８】
以上の課題を解決するため、請求項１に記載の発明は、
本体前面で地山を掘削するカッターを備えるカッタースポークの背面側に設けられたチャンバー内に掘削土を取り込み、その掘削土を前記チャンバー内に設けられた攪拌翼により攪拌するシールド掘削機であって、
前記カッタースポークの背面、前記攪拌翼、または前記カッタースポークと前記本体内で前記チャンバーの背面に位置する隔壁との間に掛け渡して設けられた中間支持部材の少なくともいずれかに、前記チャンバー内の掘削土に添加材を注入する注入孔を設けたことを特徴とする。
【０００９】
請求項２に記載の発明は、
請求項１に記載のシールド掘削機を用いるシールド工法であって、
前記チャンバー内の掘削土に、前記カッタースポーク背面、前記攪拌翼または／及び前記中間支持部材に設けられた各注入孔から添加材を注入することを特徴とする。
【００１０】
請求項３に記載の発明は、
請求項２に記載のシールド工法であって、
前記添加材として汚染土壌を浄化する不溶化材を注入することを特徴とする。
【００１１】
請求項４に記載の発明は、
請求項２または３に記載のシールド工法であって、
前記チャンバー内の前記添加材を含む掘削土を攪拌混合してから、その攪拌混合済みの掘削土を前記チャンバー外に搬出することを特徴とする。
【発明の効果】
【００１２】
本発明によれば、シールド掘進において、塑性流動性を有した掘削土に回転する複数位置から添加材を注入し、排土されるまで攪拌混合する時間が十分にあるため、均一に攪拌混合でき、効率化される。
【図面の簡単な説明】
【００１３】
【図１】本発明を適用したシールド工法の一実施形態を示す概略説明図である。
【図２】図１のシールド掘削機の拡大図である。
【図３】図２の固定攪拌翼の正面図（ａ）とその固定攪拌翼を適正角度位置に回転させた状態を示した図（ｂ）である。
【発明を実施するための形態】
【００１４】
以下、図を参照して本発明を実施するための形態を詳細に説明する。
【００１５】
（工法）
砒素などの重金属を含む汚染土壌内をシールド掘進する際の掘削土に不溶化材を添加して浄化する方法であって、シールド掘削機のチャンバー内において、汚染土壌の掘削土に、不溶化材を添加する工程と、チャンバー内の不溶化材を含む掘削土を攪拌混合する工程と、チャンバー内の攪拌混合済みの掘削土をチャンバー外に搬出する工程とを行う。
なお、汚染土壌が含む重金属の種類により、不溶化材には不溶化に適した性質を有する単独あるいは複数の不溶化材を溶液あるいはスラリー状の状態で使用する。
【００１６】
（実施形態）
図１は本発明を適用したシールド工法の一実施形態を示すもので、１は泥土圧シールド掘削機、２は発進基地、３は立坑、４はシールドトンネル、５は溶液・スラリーミキサーポンプ、６は中継ポンプ、７は土砂搬送ベルトコンベア、８は土砂ピットである。
【００１７】
図示のように、泥土圧シールド掘削機１は、発進基地２の立坑３から発進し、砒素などの重金属を含む汚染土壌等の土壌を掘削してシールドトンネル４を形成する。そのシールド掘進の際は、溶液・スラリーミキサーポンプ５から中継ポンプ６を経て不溶化材と作泥材や気泡材などを含む溶液・スラリーが泥土圧シールド掘削機１のヘッド部Ｈに供給されて、掘削土と溶液・スラリーが攪拌混合される。
そして、不溶化処理済みの掘削土は、泥土圧シールド掘削機１から、シールドトンネル４内に敷設した土砂搬送ベルトコンベア７により地上の土砂ピット８に搬出される。
【００１８】
図２は泥土圧シールド掘削機１を拡大したもので、１０は掘削機本体、１１はカッター、１２はカッタースポーク、１３はチャンバー、１４は隔壁、１５は中間支持部材、１６は回転攪拌翼、１７は固定攪拌翼、１８はシリンダユニット、１９はアジテータ、２０はスクリューコンベア、２１・２２・２３は注入孔である。
【００１９】
泥土圧シールド掘削機１は、図示のように、掘削機本体１０の前端部に地山を掘削するカッター１１を備えるカッタースポーク１２が回転自在に組み付けられて、カッタースポーク１２の背面側にチャンバー１３が形成されていて、チャンバー１３の背面側を仕切る隔壁１４が設けられている。
【００２０】
図示例では、大径のカッタースポーク１２であることから、カッタースポーク１２と隔壁１４との間に中間支持部材１５が掛け渡されている。中間支持部材１５は、カッタースポーク１２の背面に固定されていて、後端部には、隔壁１４の前面に当接して回転する図略の回転板が固定されている。
【００２１】
また、カッタースポーク１２の背面には、チャンバー１３内を隔壁１４の近傍まで伸びる複数の回転攪拌翼１６が備えられている。
【００２２】
そして、隔壁１４には、チャンバー１３内に前進・後退動作する複数の固定攪拌翼１７が備えられている。すなわち、固定攪拌翼１７は、隔壁１４の背面に固定されたシリンダユニット１８の駆動によりチャンバー１３内に隔壁１４から前進・後退動作する。
【００２３】
さらに、隔壁１４には、チャンバー１３内に突出して自身が回転動作するアジテータ１９が備えられている。
【００２４】
なお、固定攪拌翼１７は、図３（ａ）に示すように、断面三角形状で、固定攪拌翼１７をチャンバー１３内に押し出した状態（図２の上半部参照）において、図示しない駆動手段で、図３（ｂ）に示すように、固定攪拌翼１７の断面三角形状の一角部が回転攪拌翼１６の回転による掘削土の回転方向（矢印参照）に対向して、攪拌効率の優れた角度位置に回転させることが可能となっている。
【００２５】
また、掘削機本体１０内には、図２に示したように、隔壁１４の下部からチャンバー１３内に前端部が突出したスクリューコンベア２０が設置されている。チャンバー１３内の底部からスクリューコンベア２０によって掘削土が土砂搬送ベルトコンベア７に排出される。
【００２６】
ここで、カッタースポーク１２の前面には、カッタースポーク１２の回転軸の内部を通りカッタースポーク１２内を通って供給される作泥材や気泡材などの添加材を、矢印で示したように、切羽に注入する注入孔（図略）が開口して形成されている。
【００２７】
そして、カッタースポーク１２の背面には、カッタースポーク１２の回転軸の内部を通りカッタースポーク１２内を通って供給される不溶化材を、矢印で示したように、チャンバー１３に注入する注入孔２１が開口して形成されている。
【００２８】
また、中間支持部材１５のカッタースポーク１２側の基端部にも、矢印で示したように、不溶化材をチャンバー１３に注入する注入孔２２が開口して形成されている。
【００２９】
また、回転攪拌翼１６のカッタースポーク１２側の基端部にも、矢印で示したように、不溶化材をチャンバー１３に注入する注入孔２３が開口して形成されている。
【００３０】
次に、実施形態の泥土圧シールド掘削機１を用いて行う汚染土壌を不溶化するシールド工法について説明する。
【００３１】
先ず、砒素などの重金属を含む汚染土壌のシールド掘削に際しては、図２の上半部に示したように、シリンダユニット１８の駆動により固定攪拌翼１７をチャンバー１３内に押し出した状態にしておく。
【００３２】
そして、押し出した状態の固定攪拌翼１７を、図３（ｂ）に示すように、その断面三角形状の一角部が回転攪拌翼１６の回転による掘削土の回転方向（矢印参照）に対向する角度位置に回転させておく。
【００３３】
切羽において、回転するカッタースポーク１２前面のカッター１１により地山が掘削されると同時に、カッタースポーク１２前面の注入孔（図略）から作泥材や気泡材などの添加材が切羽に注入されて、その添加材を混入した掘削土がチャンバー１３に取り込まれる。
【００３４】
チャンバー１３内には、カッタースポーク１２背面の注入孔２１と、中間支持部材１５基部の注入孔２２と、回転攪拌翼１６基部の注入孔２３とから汚染土壌を浄化する不溶化材が掘削土に注入されて、その不溶化材を添加した掘削土が回転攪拌翼１６、固定攪拌翼１７、及びアジテータ１９により攪拌混合される。
【００３５】
こうして、不溶化材を添加して回転攪拌翼１６、固定攪拌翼１７、及びアジテータ１９により攪拌混合した不溶化処理済みの掘削土は、チャンバー１３内の底部からスクリューコンベア２０によって土砂搬送ベルトコンベア７に排出される。
【００３６】
また、汚染されていない土壌内をシールド掘進する場合には、図２の下半部に示したように、シリンダユニット１８の駆動により固定攪拌翼１７をチャンバー１３内から隔壁１４内部に引き戻した状態にしておく。
【００３７】
これにより、チャンバー１３内には固定攪拌翼１７が存在しなくなり、カッター１１の回転抵抗が小さくなって、効率よいシールド掘進が行える。
【００３８】
以上、実施形態の泥土圧シールド掘削機１による汚染土壌を不溶化するシールド工法によれば、カッタースポーク１２の背面の注入孔２１と、中間支持部材１５の基部の注入孔２２と、回転攪拌翼１６の基部の注入孔２３とからチャンバー１３内に、汚染土壌を浄化する不溶化材を添加して、汚染土壌を不溶化することにより、塑性流動性を有した掘削土に回転する複数位置から不溶化材を添加して、チャンバー１３から排土されるまで攪拌混合する時間が十分にあるため、均一に攪拌混合することができる。従って、汚染土壌の不溶化を効率化することができる。
【００３９】
そして、汚染土壌内を掘進する場合は、隔壁１４の前面から固定攪拌翼１７をチャンバー１３内に押し出すことで、汚染土壌内のシールド掘進で攪拌効率を向上することができる。
【００４０】
さらに、断面三角形状の固定攪拌翼１７を押し出した状態で攪拌効率の優れた角度位置に回転させることで、攪拌効率をより向上することができる。
【００４１】
また、汚染されていない土壌内を掘進する場合は、チャンバー１３内から固定攪拌翼１７を隔壁１４内部に引き戻すことで、固定攪拌翼１７をなくして、カッター１１の回転抵抗が小さくなることから、シールド掘進の進捗を低下させないで効率的に施工することができる。
【００４２】
（変形例）
以上の実施形態においては、不溶化材を添加するシールド掘削機としたが、本発明はこれに限定されるものではなく、他の浄化剤や作泥材や気泡材などの添加材を注入するシールド掘削機であってもよい。
また、カッタースポーク、チャンバー、攪拌翼、隔壁、中間支持部材の構成等も任意であり、その他、具体的な細部構造等についても適宜に変更可能であることは勿論である。
例えば、固定攪拌翼の前端部に注入孔を設けてもよく、また、注入孔はカッタースポーク背面、中間支持部材または攪拌翼のいずれかに設けるだけでもよい。
【符号の説明】
【００４３】
１  シールド掘削機
２  発進基地
３  立坑
４  シールドトンネル
５  溶液・スラリーミキサーポンプ
６  中継ポンプ
７  土砂搬送ベルトコンベア
８  土砂ピット
１０  掘削機本体
１１  カッター
１２  カッタースポーク
１３  チャンバー
１４  隔壁
１５  中間支持部材
１６  回転攪拌翼
１７  固定攪拌翼
１８  シリンダユニット
１９  アジテータ
２０  スクリューコンベア
２１・２２・２３  注入孔
【図１】
2014163129.tif 000003
【図２】
2014163129.tif 000004
【図３】
2014163129.tif 000005
【手続補正書】
【提出日】平成25年5月28日(2013.5.28)
【手続補正１】
【補正対象書類名】明細書
【補正対象項目名】０００８
【補正方法】変更
【補正の内容】
【０００８】
以上の課題を解決するため、請求項１に記載の発明は、
本体前面で地山を掘削するカッターを備えるカッタースポークの背面側に設けられたチャンバー内に掘削土を取り込み、その掘削土を前記チャンバー内に設けられた攪拌翼により攪拌するシールド掘削機であって、
前記カッタースポークの背面に、前記チャンバー内の掘削土に添加材を注入する注入孔を設けたことを特徴とする。
【手続補正２】
【補正対象書類名】明細書
【補正対象項目名】０００９
【補正方法】変更
【補正の内容】
【０００９】
請求項２に記載の発明は、
請求項１に記載のシールド掘削機を用いるシールド工法であって、
前記チャンバー内の掘削土に、前記カッタースポーク背面に設けられた各注入孔から添加材を注入することを特徴とする。
【手続補正３】
【補正対象書類名】特許請求の範囲
【補正対象項目名】全文
【補正方法】変更
【補正の内容】
【特許請求の範囲】
【請求項１】
本体前面で地山を掘削するカッターを備えるカッタースポークの背面側に設けられたチャンバー内に掘削土を取り込み、その掘削土を前記チャンバー内に設けられた攪拌翼により攪拌するシールド掘削機であって、
前記カッタースポークの背面に、前記チャンバー内の掘削土に添加材を注入する注入孔を設けたことを特徴とするシールド掘削機。
【請求項２】
請求項１に記載のシールド掘削機を用いるシールド工法であって、
前記チャンバー内の掘削土に、前記カッタースポーク背面に設けられた各注入孔から添加材を注入することを特徴とするシールド工法。
【請求項３】
前記添加材として汚染土壌を浄化する不溶化材を注入することを特徴とする請求項２に記載のシールド工法。
【請求項４】
前記チャンバー内の前記添加材を含む掘削土を攪拌混合してから、その攪拌混合済みの掘削土を前記チャンバー外に搬出することを特徴とする請求項２または３に記載のシールド工法。